(57)【特許請求の範囲】
【請求項１】
口頸部を有し、液状又は粉状の内容物を収容可能な容器本体と、前記口頸部に着脱自在に設けられた計量キャップとを備える計量容器であって、
前記計量キャップは、前記口頸部内に一部挿入される計量筒部と、前記計量筒部の一側開口端を閉じる蓋部と、前記計量筒部の周面から外方に張り出し、前記口頸部の上端の開口部に被せられるフランジ部と、前記フランジ部の外縁部から垂下され、前記口頸部に装着されたときに前記口頸部の外周面に沿わせられる延出片と、前記フランジ部の外縁部における前記延出片が形成された部分以外の部分から垂下され、前記口頸部に装着されたときに前記口頸部の外周面に沿わせられる係合壁部と、を備え、
前記延出片は、下端に向かって幅が狭くなっており、
前記係合壁部の下端は、前記延出片の下端よりも前記フランジ部寄りに位置し、
前記計量キャップは前記口頸部に装着した状態で前記口頸部の軸線回りの少なくとも一方向に回動でき、
前記口頸部の外周面における上端寄りの部分と、前記係合壁部の内面には、前記口頸部に対する前記計量キャップの相対的な上方移動を規制する第１係合部が形成され、
前記口頸部の外周面には、前記計量キャップを前記口頸部に装着した状態で回動させたときに前記延出片の下端部が当接する段差壁部が形成され、
前記段差壁部が上下方向に延び、かつ前記計量キャップの回動方向に傾斜している計量容器。
【請求項２】
前記口頸部の外周面と前記延出片の内面に、前記口頸部に対する前記計量キャップの相対的な上方移動を規制する第２係合部が形成されている、請求項１に記載の計量容器。
【請求項３】
前記口頸部の外周面における前記段差壁部よりも上側部分に、前記段差壁部に沿って延びる案内凸条部が形成され、かつ前記延出片の内面に、前記計量キャップが前記口頸部に装着されたときに前記案内凸条部の上面又は下面に接し、前記計量キャップが前記口頸部に装着された状態で回動されたときに前記案内凸条部の上面又は下面を摺動する案内突起が形成されている、請求項１又は２に記載の計量容器。
【請求項４】
前記延出片が、前記計量キャップが前記口頸部に装着されたときに前記口頸部の軸線に対して対称位置となるように互いに離間して２つ形成され、かつ前記係合壁部が、前記計量キャップの回動方向における２つの前記延出片の間の中央に、前記口頸部の軸線に対して対称位置となるように互いに離間して２つ形成されている、請求項１〜３のいずれか一項に記載の計量容器。
【発明の詳細な説明】
【技術分野】
【０００１】
本発明は、計量容器に関する。
【背景技術】
【０００２】
例えば、柔軟剤、液体洗剤等の液状の内容物を収容する容器本体に装着されるキャップとしては、一般的に計量機能を備え、計量した内容物を外側から視認できるように係合壁部が透明になっている計量キャップが広く用いられている。このような計量キャップでは、係合壁部の内側に位置する計量筒部に計量線等が印刷や成形によるレリーフとして形成されている。
【０００３】
容器本体の口頸部に軽量キャップを装着する態様としては、液状の内容物が輸送時や取り扱い時に漏れにくいようにするために、軽量キャップを口頸部に螺合装着する態様が一般的である。しかし、軽量キャップを螺合装着するタイプの容器では、取り扱い時に手指が水で濡れていたり、手指に洗浄剤等の内容物が付着していたりすると、手指が滑りやすく軽量キャップの開閉操作が困難になる。
【０００４】
また、容器本体の口頸部にキャップを装着する態様としては、キャップを口頸部に嵌合装着する態様も提案されている。
例えば、上端に向かって縮径するテーパー状の口頸部の外壁面における下端部に係合凹部が形成され、キャップの内壁面における下端部に前記係合凹部と嵌合する係合凸部が形成された容器が挙げられる（例えば、特許文献１）。該容器においては、口頸部に嵌合装着されたキャップにおける対向する側壁の上下方向の中央部を内方に押圧することで、前記係合凹部と前記係合凸部の嵌合を解除し、その状態でキャップを上方に持ち上げることで、口頸部からキャップを取り外す。
しかし、該容器では、キャップの取り外しに二段階の操作が必要であり、また水や洗浄剤等の付着により手指が滑りやすいときにはキャップを取り外すことが困難である。
【０００５】
また、下端部の平面形状が八角形の口頸部と、下端部の平面形状が四角形のキャップとを備え、前記口頸部の外壁面における前記下端部よりも上側の部分に第１リブが形成され、前記キャップの内壁面に、キャップが口頸部に装着されたときに前記第１リブの下面に係止される第２リブが形成された容器が挙げられる（例えば、特許文献２）。該容器では、口頸部における下端部の８つの外面のうち、軸線回りに一つおきの外面に対応する位置に第１リブ及び第２リブがそれぞれ配置されている。キャップを取り外す際は、口頸部に装着されたキャップを１／８回転だけ回動させ、第１リブと第２リブの嵌合を解除し、その状態でキャップを上方に持ち上げて取り外す。
しかし、該容器では、下端部の平面形状が八角形の口頸部に対して下端部の平面形状が四角形のキャップを回動させるのに力を要するため、水や洗浄剤等の付着により手指が滑りやすいときにはキャップを取り外すことが困難である。
【０００６】
また、上端に向かって縮径するテーパー状で、かつ平面形状が矩形状の口頸部の外壁面に係合凹部が形成され、平面形状が矩形状のキャップの内壁面に前記係合凹部と嵌合する係合凸部が形成された容器が挙げられる（例えば、特許文献３）。該容器では、キャップを取り外す際、口頸部に装着されたキャップを回動させて係合凹部と係合凸部の嵌合を解除し、その状態でキャップを上方に持ち上げて取り外す。
しかし、該容器では、平面形状が矩形状の口頸部に対して平面形状が矩形状のキャップを回動させるのに力を要するため、水や洗浄剤等の付着により手指が滑りやすいときにはキャップを取り外すことが困難である。
【０００７】
また、前記したキャップを嵌合装着するタイプの容器では、キャップとして計量筒部を備える計量キャップを採用したときに、径方向の外方からの計量線の視認性が悪く、内容物の計量が困難になる問題がある。
【先行技術文献】
【特許文献】
【０００８】
【特許文献１】実開昭４９−１２０６５１号公報
【特許文献２】特開平１０−３０５８５４号公報
【特許文献３】実開昭５５−７４６６１号公報
【発明の概要】
【発明が解決しようとする課題】
【０００９】
本発明は、容器本体に収容された内容物の漏れを充分に抑制でき、計量筒部の視認性に優れ、かつ計量キャップの装着及び取り外しが容易な計量容器を提供することを目的とする。
【課題を解決するための手段】
【００１０】
本発明の計量容器は、口頸部を有し、液状又は粉状の内容物を収容可能な容器本体と、前記口頸部に着脱自在に設けられた計量キャップとを備える計量容器であって、前記計量キャップは、前記口頸部内に一部挿入される計量筒部と、前記計量筒部の一側開口端を閉じる蓋部と、前記計量筒部の周面から外方に張り出し、前記口頸部の上端の開口部に被せられるフランジ部と、前記フランジ部の外縁部から垂下され、前記口頸部に装着されたときに前記口頸部の外周面に沿わせられる延出片と、前記フランジ部の外縁部における前記延出片が形成された部分以外の部分から垂下され、前記口頸部に装着されたときに前記口頸部の外周面に沿わせられる係合壁部と、を備え、前記延出片は、下端に向かって幅が狭くなっており、前記係合壁部の下端は、前記延出片の下端よりも前記フランジ部寄りに位置し、前記計量キャップは前記口頸部に装着した状態で前記口頸部の軸線回りの少なくとも一方向に回動でき、前記口頸部の外周面における上端寄りの部分と、前記係合壁部の内面には、前記口頸部に対する前記計量キャップの相対的な上方移動を規制する第１係合部が形成され、前記口頸部の外周面には、前記計量キャップを前記口頸部に装着した状態で回動させたときに前記延出片の下端部が当接する段差壁部が形成され、前記段差壁部が上下方向に延び、かつ前記計量キャップの回動方向に傾斜している。
【００１１】
本発明の計量容器では、前記口頸部の外周面と前記延出片の内面に、前記口頸部に対する前記計量キャップの相対的な上方移動を規制する第２係合部が形成されていることが好ましい。
また、前記口頸部の外周面における前記段差壁部よりも上側部分に、前記段差壁部に沿って延びる案内凸条部が形成され、かつ前記延出片の内面に、前記計量キャップが前記口頸部に装着されたときに前記案内凸条部の上面又は下面に接し、前記計量キャップが前記口頸部に装着された状態で回動されたときに前記案内凸条部の上面又は下面を摺動する案内突起が形成されていることが好ましい。
また、前記延出片が、前記計量キャップが前記口頸部に装着されたときに前記口頸部の軸線に対して対称位置となるように互いに離間して２つ形成され、かつ前記係合壁部が、前記計量キャップの回動方向における２つの前記延出片の間の中央に、前記口頸部の軸線に対して対称位置となるように互いに離間して２つ形成されていることが好ましい。
【発明の効果】
【００１２】
本発明の計量容器は、容器本体に収容された内容物の漏れを充分に抑制でき、計量筒部の視認性に優れ、かつキャップの装着及び取り外しが容易である。
【図面の簡単な説明】
【００１３】
【図１】本発明の計量容器の一例を示した斜視図である。
【図２】図１の計量容器の上部側全体構造と断面構造を示すものであり、図２（ａ）は正面図であり、図２（ｂ）は断面図である。
【図３】図１の計量容器におけるノズル中栓を示すものであり、図３（ａ）は正面図であり、図３（ｂ）は側面図であり、図３（ｃ）は斜視図である。
【図４】図１の計量容器における計量キャップを示すものであり、図４（ａ）は正面図であり、図４（ｂ）は側面図であり、図４（ｃ）は倒立図である。
【図５】図１の計量容器において計量キャップを外す様子を示した斜視図である。
【図６】図１の計量容器において計量キャップを装着する様子を示した斜視図である。
【図７】本発明の他の例の計量容器における上部側全体構造と断面構造を示すものであり、図７（ａ）は正面図であり、図７（ｂ）は断面図である。
【図８】図７の計量容器におけるノズル中栓を示した正面図である。
【図９】図７の計量容器における計量キャップを示した正面図である。
【図１０】図７の計量容器において計量キャップを外す様子を示した斜視図である。
【図１１】本発明の他の例の計量容器におけるノズル中栓を示した正面図である。
【図１２】本発明の他の例の計量容器における計量キャップとノズル中栓を示した斜視図である。
【発明を実施するための形態】
【００１４】
以下、本発明の計量容器の一例を示して説明する。
本実施形態の計量容器１は、図１に示すように、液状または粉状の内容物を収容可能な容器本体２と、容器本体２に装着される計量キャップ３とを備える。
【００１５】
容器本体２は、柔軟剤、液体洗剤等の液体あるいは粉末状洗剤や粉末状柔軟剤等の粉体を収容可能なボトル型の中空容器である。容器本体２は、図１及び図２に示すように、略四角形状の底壁４と、底壁４の縁部から立ち上がる側壁５と、側壁５の先端から上方に向かって徐々に縮径するように延びる肩部６と、肩部６の中央の上端から突設された円筒状の突設筒部７と、突設筒部７に螺合装着されるノズル中栓８とから構成されている。
突設筒部７の外周面には、ネジ部７ａが形成されている。容器本体２の上部には、突設筒部７にノズル中栓８が螺合装着されることで円筒状の口頸部９が形成される。
【００１６】
ノズル中栓８は、突設筒部７に螺合される円筒状の筒壁部１０を有している。
筒壁部１０は、内周面における下部にネジ部１１ａを設けた外筒壁１１と、外筒壁１１の内周側に接続壁１２を介して下方に延設された内筒壁１３とを有している。
【００１７】
内筒壁１３は、外筒壁１１の下端より若干下方まで達するように外筒壁１１と平行に延出されている。内筒壁１３の下端には傾斜面１６ａを有する底壁部１６が設けられており、底壁部１６には注出口１６ｂが偏在して形成されている。すなわち、口頸部９の内側に注出口１６ｂが偏在して形成されている。底壁部１６における注出口１６ｂの周縁部には注出筒１７が立設されている。
【００１８】
底壁部１６において注出口１６ｂが偏在しているため、注出口１６ｂの周りに立設された注出筒１７も内筒壁１３内で偏在している。注出筒１７には、その側壁の中心軸線Ｃ１側に縦方向にスリット状の開口部１７ｂが形成されている。さらに注出筒１７は、上端部が中心軸線Ｃ１に向かって低くなるように傾斜した面１７ａが形成されるように斜め方向に切除されている。
【００１９】
ノズル中栓８は、内筒壁１３が突設筒部７の内側に挿入され、外筒壁１１のネジ部１１ａが容器本体２の突設筒部７のネジ部７ａに螺合されることで、容器本体２の突設筒部７に着脱自在に装着されている。
また、ノズル中栓８には、外筒壁１１と内筒壁１３との間の接続壁１２の下面から垂下された筒状のシールリップ部１５が形成されている。これにより、ノズル中栓８を容器本体２の突設筒部７に螺合により装着した状態において、シールリップ部１５が突設筒部７の開口部に密に挿入されることで、突設筒部７の開口部が液密に閉塞される。
【００２０】
図２及び図３に示すように、外筒壁１１の外面には、外筒壁１１の軸線回りに１８０゜間隔で、すなわち外筒壁１１の軸線回りの対称位置（周方向対称位置）に、正面視舌型で内周面に向かって凹んだ窪部１１Ａが形成されている。外筒壁１１の外面における窪部１１Ａの縁部分には段差壁部１１Ｂが形成されている。
段差壁部１１Ｂは、図３（ａ）に示すように、正面視した場合にサインカーブの一部を切り取ったような形状とされており、その底部の両側において筒壁部１０の上下方向に延び、かつ計量キャップ３の回動方向（周方向）に傾斜している。
この例の窪部１１Ａでは、段差壁部１１Ｂの底部が外筒壁１１の下端近くに位置し、窪部１１Ａにおける上端部の軸線回りの幅が外筒壁１１の全周の１／６程度となっている。
【００２１】
段差壁部１１Ｂにおける計量キャップ３の回動方向（周方向）、すなわち中心軸栓Ｃ１に対し直交する方向に対する傾斜角度θ（図３）は、４０〜７０°が好ましく、４５〜６５°がより好ましい。前記傾斜角度θが下限値以上であれば、計量キャップ３をより安定してノズル中栓８に装着できる。前記傾斜角度θが上限値以下であれば、計量キャップ３の取り外しがより容易になる。
【００２２】
外筒壁１１の外面における窪部１１Ａ以外の部分の上端寄りには、一方の窪部１１Ａから他方の窪部１１Ａまで凹んだ窪部１１Ｃが形成されている。窪部１１Ｃの正面視形状は軸線回りの長さが長い矩形状になっている。
窪部１１Ｃの上下方向の長さは、３〜１０ｍｍが好ましく、５〜７ｍｍがより好ましい。
【００２３】
外筒壁１１の外面における窪部１１Ｃの部分には、図３（ｂ）に示すように、径方向の外方に突出し、計量キャップ３の回動方向（周方向）に延びる凸条からなる第１係合凸部２５が形成されている。
第１係合凸部２５は、外筒壁１１の軸線回りにおいて、平面視における中心軸線Ｃ１を中心とする１５°〜２０°の範囲内に形成されている。
【００２４】
計量キャップ３は、図４に示すように、円筒状の計量筒部１８と、計量筒部１８の一側開口端を閉じる蓋部１９と、計量筒部１８の周面から外方に張り出した平面視円環状のフランジ部２０と、フランジ部２０の外縁部から垂下された２つの延出片２１と、フランジ部２０の外縁部における延出片２１が形成された部分以外の部分から垂下された係合壁部２２と、を備えている。このように、計量キャップ３は、有蓋円筒形状で、高さ方向の中央に外方に張り出すフランジ部を有している。フランジ部２０の延出片２１及び係合壁部２２より外側には、フランジ部２０の外縁部から外側に突出した突出部が形成されていてもよい。
また、フランジ部２０の内周縁部には、下方に突出するリング部２３が形成されている。
【００２５】
計量筒部１８は、注出筒１７を囲むように、その下端側の一部がノズル中栓８の筒壁部１０に挿入される。
計量筒部１８の周壁における２つの延出片２１の間の部分には、図４（ｃ）に示すように、計量用の目盛線と容量表示用の数字を備えた目盛部２４が印刷、刻印等の手段により形成されている。これにより、計量キャップ３を倒立させた状態で、計量筒部１８の開口部１８ａから注入された液体等の内容物の量を把握することができる。
フランジ部２０は、計量キャップ３がノズル中栓８に装着される際に、口頸部９におけるノズル中栓８の筒壁部１０上端の開口部に被せられる。
【００２６】
延出片２１は、下端に向かって幅が狭くなっている正面視舌型の薄型片であり、その下端部２１ａは正面視曲線状になっている。
延出片２１は、フランジ部２０の軸線回りに１８０゜間隔で、すなわち計量キャップ３が口頸部９に装着されたときに中心軸線Ｃ１に対して対称位置となるように２つ形成されている。２つの延出片２１は、計量キャップ３の装着時に、ノズル中栓８の筒壁部１０の外面における２つの窪部１１Ａにそれぞれ沿わせられる。
【００２７】
この例では、図２（ａ）に示すように、計量キャップ３を装着して延出片２１の下端部２１ａを段差壁部１１Ｂの底部に位置合わせした時に、延出片２１の下端部２１ａが段差壁部１１Ｂからわずかに離間するようになっている。これにより、計量キャップ３を回動させる際、初期の回動がより容易に行える。延出片２１の下端部２１ａは、計量キャップ３を装着して回動させた時に段差壁部１１Ｂに当接する。
なお、本発明では、延出片の下端部を段差壁部の底部に位置合わせした時に該延出片の下端部が段差壁部に当接するようにしてもよい。
【００２８】
また、この例では、延出片２１の幅は、ノズル中栓８の外筒壁１１の外面に形成された窪部１１Ａの幅よりも狭くなっている。これにより、計量キャップ３の装着時に、延出片２１における下端部２１ａよりも上方の側縁部は、両側の段差壁部１１Ｂから離間している。
【００２９】
係合壁部２２は、正面視において上下方向の長さに比べて軸線回りの長さが長い矩形状の薄型片である。
係合壁部２２は、フランジ部２０の軸線回りに１８０゜間隔で、すなわち計量キャップ３が口頸部９に装着されたときに中心軸線Ｃ１に対して対称位置となるように２つ形成されている。２つの延出片２１はいずれも、一方の延出片２１から他方の延出片２１まで形成されている。つまり、２つの延出片２１と２つの係合壁部２２は一体となっている。
計量キャップ３の装着時には、係合壁部２２はノズル中栓８の筒壁部１０の外面における２つの窪部１１Ｃにそれぞれ沿わせられる。
【００３０】
係合壁部２２の下端は、延出片２１の下端よりもフランジ部２０寄りに位置している。すなわち、係合壁部２２の上下方向の長さは、延出片２１の上下方向の長さよりも短くなっている。これにより、計量キャップ３を倒立させた状態で内容物の計量を行う際に目盛部２４が視認しやすくなる。
【００３１】
係合壁部２２の上下方向の長さは、３〜１０ｍｍが好ましく、５〜７ｍｍがより好ましい。係合壁部２２の上下方向の長さが下限値以上であれば、後述の第２係合凸部２６の形成が容易である。係合壁部２２の上下方向の長さが上限値以下であれば、内容物の計量時における目盛部２４の視認性がより良好になる。
【００３２】
係合壁部２２の内面には、計量キャップ３の装着時に外筒壁１１の第１係合凸部２５に係合する第２係合凸部２６が形成されている。
第２係合凸部２６は、係合壁部２２の内面において、計量キャップ３を口頸部９に装着したときに外筒壁１１の第１係合凸部２５の下側に係合するように形成されている。第１係合凸部２５及び第２係合凸部２６により第１係合部２７が形成される。計量キャップ３の装着時に第１係合部２７の第１係合凸部２５と第２係合凸部２６が係合することで、口頸部９に対する計量キャップ３の相対的な上方移動を規制することができる。これにより、装着した計量キャップ３が予期せず上方に抜けることを抑制できる。
【００３３】
計量容器１では、係合壁部２２に弾性が付与されていることが好ましい。これにより、計量キャップ３の装着時に、第１係合部２７の第１係合凸部２５と第２係合凸部２６とを容易に係合させることができる。
【００３４】
（製造方法）
容器本体２の底壁４、側壁５、肩部６及び突設筒部７の製造方法としては、例えばポリエチレン等のオレフィン系合成樹脂を用いたブロー成型等により一体として成型する方法が挙げられる。容器本体２のノズル中栓８の製造方法としては、例えばポリプロピレン等のオレフィン系合成樹脂を用いた射出成型により一体として成型する方法が挙げられる。計量キャップ３の製造方法としては、例えばポリエチレン等のオレフィン系合成樹脂を用いた射出成型により一体として成型する方法が挙げられる。
なお、容器本体２及び計量キャップ３の製造方法は、前記した方法には限定されない。
【００３５】
（作用効果）
以下、計量容器１における計量キャップ３の取り外し操作、計量操作及び取り付け操作について説明する。
使用前の計量容器１においては、図２（ｂ）に示すように、容器本体２内に内容物が収容された状態で、注出筒１７を上向きとしてノズル中栓８の内筒壁１３が突設筒部７に装着される。突設筒部７の開口部は、ノズル中栓８のシールリップ部１５によって液密に閉塞されるため、突設筒部７のネジ部７ａとノズル中栓８のネジ部１１ａの螺合部分を介する液漏れが防止される。
【００３６】
口頸部９のノズル中栓８に計量キャップ３が装着された状態においては、図１及び図２（ａ）に示すように、計量キャップ３の２つの延出片２１が筒壁部１０の外周面における窪部１１Ａの部分に沿わせられている。また、計量キャップ３の２つの係合壁部２２が筒壁部１０の外周面における窪部１１Ｃの部分に沿わせられている。そして、これら延出片２１及び係合壁部２２のそれぞれによってノズル中栓８の筒壁部１０が挟み込まれるようになっている。
また、この状態では、口頸部９の外周面に形成された第１係合凸部２５の下面に、計量キャップ３に形成された第２係合凸部２６が係合している。これにより、口頸部９に対する計量キャップ３の相対的な上方移動が規制されている。
【００３７】
計量キャップ３を取り外すには、まず、計量キャップ３の上部を指で摘み、計量キャップ３を平面視で軸線回りに反時計回り（左回り）に若干回動させる。このとき、第１係合部２７において第２係合凸部２６が第１係合凸部２５の下面を摺動し、計量キャップ３の延出片２１の下端部２１ａがノズル中栓８の段差壁部１１Ｂに当接する。さらに計量キャップ３を回動させると、第１係合凸部２５と第２係合凸部２６の係合状態が解除され、また延出片２１の下端部２１ａが段差壁部１１Ｂを摺動することで、延出片２１を斜め上方に移動させる力が作用する。これにより、図５の矢印ａに示すように延出片２１が段差壁部１１Ｂに沿ってせり上がり、その結果として計量キャップ３が回動しつつ斜め上方に移動するため、計量キャップ３を容易に取り外すことができる。
計量容器１では、計量キャップ３を平面視で軸線回りに時計回り（右回り）に回動させても、同様に計量キャップ３を容易に取り外すことができる。
【００３８】
その後、図４（ｃ）に示すように計量キャップ３を倒立させ、ノズル中栓８の注出筒１７の先端を下向きとするように容器本体２を傾けて、容器本体２内の内容物を注出口１６ｂから注出筒１７を通じて計量筒部１８に注入する。計量キャップ３の計量筒部１８への内容物の注入量は、目盛部２４により把握することができる。
計量操作を行う際の計量キャップ３では、係合壁部２２の上下方向の長さが短いため、延出片２１，２１の間から目盛部２４が視認しやすく、計量筒部１８に収容した内容物の量を正確に把握することができる。
計量を終えて内容物を使用した後は、筒壁部１０の外周面における窪部１１Ａの部分に延出片２１の位置を合わせつつ、図６の矢印ｂに示すように、計量筒部１８をノズル中栓８の筒壁部１０に挿入して装着する。
【００３９】
以上説明した本発明の計量容器においては、延出片２１の位置をノズル中栓８における窪部１１Ａの位置に合わせるように計量キャップ３を口頸部９の上方から装着できるため、従来のねじ部を介する計量キャップに比べて装着が遥かに容易である。また、装着した計量キャップ３を回動させることで、延出片２１の下端部２１ａが口頸部９の段差壁部１１Ｂを摺動してせり上がるため、計量キャップ３を容易に取り外すことができる。また、従来のねじ部を介する計量キャップは取り外す際に何周も回動させる必要があるのに対して、計量容器１では計量キャップ３を軸線回りに数分の一周回動させるだけで容易に取り外すことができる。
【００４０】
また、本発明の計量容器では、計量キャップの係合壁部の内面と口頸部の外周面に形成された第１係合部の作用によって、口頸部に対する計量キャップの相対的な上方移動が規制されるため、容器本体に収容された内容物の漏れを充分に抑制できる。
また、本発明の計量容器では、延出片の間に形成される係合壁部の上下方向の長さが延出片の上下方向の長さよりも短いため、計量筒部の視認性にも優れている。
【００４１】
なお、本発明の計量容器は、前記した計量容器１には限定されない。例えば、口頸部の外周面と延出片の内面に、口頸部に対する計量キャップの相対的な上方移動を規制する第２係合部が形成されていてもよい。これにより、口頸部に装着した計量キャップが予期せず上方に抜けることをより抑制できる。また、本発明の計量容器は、口頸部の外周面における段差壁部よりも上側部分に、段差壁部に沿って延びる案内凸条部が形成され、かつ延出片の内面に、計量キャップが口頸部に装着されたときに前記案内凸条部の上面又は下面に接し、計量キャップが口頸部に装着された状態で回動されたときに前記案内凸条部の上面又は下面を摺動する案内突起が形成されている計量容器であってもよい。
【００４２】
例えば、図７〜９に例示した計量容器１Ａであってもよい。図７〜９における図２、図３（ａ）及び図４（ａ）と同じ部分は、同符号を付して説明を省略する。
計量容器１Ａは、ノズル中栓８の代わりにノズル中栓８Ａを有する口頸部９Ａを備え、計量キャップ３の代わりに計量キャップ３Ａを備える以外は計量容器１と同じである。ノズル中栓８Ａは、外筒壁１１の外面の窪部１１Ａに第３係合凸部２８と案内凸条部２９が形成されている以外は、ノズル中栓８と同じである。
【００４３】
第３係合凸部２８は、窪部１１Ａにおける幅方向のほぼ中央部分であって外筒壁１１の上端寄りに形成された、計量キャップ３Ａの回動方向（周方向）に延びる凸条からなる。第３係合凸部２８は、外筒壁１１の軸線回りにおいて、平面視における中心軸線Ｃ１を中心とする１５〜２０°の範囲内に形成されている。
この例の第３係合凸部２８は、正面視で周方向における段差壁部１１Ｂの底部に対応する位置から左端までの長さが、当該位置から右端までの長さよりも長くなっている。この場合、装着した計量キャップ３Ａを平面視で軸線回りに反時計回りに回動させたときには、第３係合凸部２８と後述の第４係合凸部３０の係合が外れやすく、時計回りに回動させたときには第３係合凸部２８と後述の第４係合凸部３０の係合が外れにくくなる。これにより、計量キャップ３Ａを取り外す際の計量キャップ３Ａの回動方向を規制することができる。
なお、第３係合凸部２８は、正面視で周方向における段差壁部１１Ｂの底部に対応する位置から左端までの長さと、当該位置から右端までの長さを等しくして、軸線回りの両方向への回動しやすさが同じになるようにしてもよい。
【００４４】
案内凸条部２９は、窪部１１Ａにおける第３係合凸部２８よりも下側で、かつ段差壁部１１Ｂよりも上側部分に、段差壁部１１Ｂに沿って延びている。案内凸条部２９は、上下方向に延び、かつ計量キャップ３Ａの回動方向（周方向）に傾斜している。より具体的には、案内凸条部２９は、ほぼ計量キャップ３Ａの回動方向に延びる凸条からなる第１案内部２９ａと、第１案内部２９ａの右側端部から斜め上方に傾斜して延びる第２案内部２９ｂとを備え、全体として下方に凸の略円弧状となっている。
【００４５】
案内凸条部２９は、段差壁部１１Ｂから離間し、正面視形状が段差壁部１１Ｂの正面視形状と相似形状となっている。
案内凸条部２９は、外筒壁１１の軸線回りにおいて、平面視における中心軸線Ｃ１を中心とする１５°〜２０°の範囲内に形成されている。
案内凸条部２９における第１案内部２９ａの軸線回りの長さ（周方向の長さ）は、第３係合凸部２８の軸線回りの長さ（周方向の長さ）とほぼ同等になっている。また、計量キャップ３Ａの回動方向（周方向）に対する案内凸条部２９における第２案内部２９ｂの傾斜角は、例えば４０〜７０゜とされる。
【００４６】
計量キャップ３Ａは、延出片２１の内面に、計量キャップ３Ａの装着時に外筒壁１１の第３係合凸部２８に係合する第４係合凸部３０と、外筒壁１１の案内凸条部２９の下面に接する案内突起３１が形成されている以外は、計量キャップ３と同じである。
【００４７】
第４係合凸部３０は、延出片２１の内面において、計量キャップ３Ａを口頸部９Ａに装着した時に、外筒壁１１の第３係合凸部２８の下側に係合する位置に形成されている。第３係合凸部２８及び第４係合凸部３０により第２係合部３２が形成される。計量キャップ３Ａの装着時に第２係合部３２の第３係合凸部２８と第４係合凸部３０が係合することで、口頸部９Ａに対する計量キャップ３Ａの相対的な上方移動がより規制される。これにより、装着した計量キャップ３Ａが予期せず上方に抜けることをより抑制できる。
【００４８】
案内突起３１は、延出片２１の内面の第４係合凸部３０の下方において、計量キャップ３Ａの口頸部９Ａへの装着時に、案内凸条部２９の下面に接する位置に形成されている。
【００４９】
計量容器１Ａでは、延出片２１に弾性が付与されていることが好ましい。これにより、計量キャップ３Ａの装着時に、第２係合部３２の第３係合凸部２８と第４係合凸部３０とを容易に係合させることができる。
【００５０】
計量容器１Ａにおいて、口頸部９Ａに計量キャップ３Ａを装着した状態においては、第１係合部２７の第１係合凸部２５と第２係合凸部２６の係合に加えて、第２係合部３２の第３係合凸部２８と第４係合凸部３０が係合している。また、案内突起３１が案内凸条部２９の下面で係止されている。このように、計量容器１Ａでは、計量容器１に比べて、口頸部９Ａに対する計量キャップ３Ａの相対的な上方移動がさらに規制されるため、計量キャップ３Ａがより強く抜け止めされる。
【００５１】
口頸部９Ａに装着されている計量キャップ３Ａを平面視で軸線回りに反時計回りに回動させたときには、第２係合凸部２６が第１係合凸部２５の下面を摺動するとともに、第４係合凸部３０が第３係合凸部２８の下面を摺動し、さらに案内突起３１が案内凸条部２９の下面を摺動する。これにより、口頸部９Ａに対して計量キャップ３Ａが相対的に上方移動することが抑制されつつ、計量キャップ３Ａが安定して軸線回りに回動するように案内される。そして、延出片２１の下端部２１ａが段差壁部１１Ｂに当接する。さらに計量キャップ３Ａを回動させると、第１係合凸部２５及び第２係合凸部２６の係合と、第３係合凸部２８及び第４係合凸部３０の係合が解除され、図１０に示すように、延出片２１の下端部２１ａが段差壁部１１Ｂを摺動することで、延出片２１を斜め上方に移動させる力が作用する。また同時に案内突起３１が案内凸条部２９の下面を摺動するので、延出片２１の下端部２１ａが安定して段差壁部１１Ｂを摺動し、計量キャップ３Ａを斜め上方に移動させる力が安定して作用する。これらの結果として、計量キャップ３Ａは回動しつつ斜め上方に移動するため、計量キャップ３Ａを容易に取り外すことができる。
【００５２】
計量容器１Ａにおける内容物の計量は計量容器１の場合と同様に行うことができる。また、その後の計量キャップ３Ａの口頸部９Ａへの装着も計量容器１の場合と同様に行うことができる。
【００５３】
また、図１１に例示した、ノズル中栓８Ｂを有する口頸部を備える計量容器であってもよい。ノズル中栓８Ｂは、案内凸条部２９の代わりに、案内凸条部２９Ａを備える以外はノズル中栓８Ａと同じである。
案内凸条部２９Ａは、案内凸条部２９における第１案内部２９ａの左側端部から上下方向に延び、かつ計量キャップの回動方向に傾斜した第３案内部２９ｃをさらに有する以外は、案内凸条部２９と同じである。
ノズル中栓８Ｂにおいては、第３係合凸部２８における、正面視で周方向における段差壁部１１Ｂの底部に対応する位置から左端までの長さと、当該位置から右端までの長さを等しくして、軸線回りの両方向への回動しやすさが同じになるようにしてもよい。
【００５４】
第２係合部と、案内凸条部及び案内突起の両方を形成する場合、口頸部の外周面においては、第２係合部の第３係合凸部と案内凸条部はいずれが上方に位置していてもよい。また、延出片の内面においては、第２係合部の第４係合凸部と案内突起はいずれが上方に位置していてもよい。
また、第２係合部と、案内凸条部及び案内突起は、いずれか一方のみを形成してもよい。
【００５５】
本発明の計量容器では、第１係合部を、第１係合凸部と第２係合凸部の代わりに、係合凹部と係合凸部による嵌合構造としてもよい。同様に、第２係合部を設ける場合、第３係合凸部と第４係合凸部の代わりに、係合凹部と係合凸部による嵌合構造としてもよい。
また、本発明の計量容器においては、計量キャップを口頸部に装着したときに案内凸条部の上面に案内突起が接し、計量キャップを回動させたときに前記案内突起が案内凸条部の上面を摺動するようにしてもよい。これにより、計量キャップを回動させたときに計量キャップがよりせり上がりやすくなるため、計量キャップをより容易に取り外すことができる。
【００５６】
また、本発明の計量容器においては、延出片と係合壁部とをそれぞれ離間するように形成してもよい。例えば、図１２に例示した、ノズル中栓８Ｃを有する口頸部と、計量キャップ３Ｂとを備える計量容器であってもよい。
ノズル中栓８Ｃは、窪部１１Ｃの代わりに、外筒壁１１の軸線回りにおける２つの窪部１１Ａの間の中央部分に、正面視形状が略矩形状の窪部１１Ｄが形成されている以外は、ノズル中栓８と同じである。窪部１１Ｄには、第１係合凸部２５が形成されている。
【００５７】
計量キャップ３Ｂは、係合壁部２２の代わりに、フランジ部２０の外縁部における延出片２１が形成された部分以外の部分から、延出片２１と軸線回りに離間するように垂下された、正面視形状が略矩形状の係合壁部２２Ａを備える以外は、計量キャップ３と同じである。係合壁部２２Ａにおける内面には、第１係合凸部２５と係合する第２係合凸部２６が形成されている。
【００５８】
該計量容器では、窪部１１Ｄにおける軸線回りの両側の段差部分１１ｂが、上方に向かうにしたがって軸線回りの長さが長くなるように、軸線回りに外側に傾斜している。また、係合壁部２２Ａにおける軸線回りの両側の縁部は、窪部１１Ｄの段差部分１１ｂと同様に、上方に向かうにしたがって軸線回りの長さが長くなるように、軸線回りに外側に傾斜している。窪部１１Ｄと係合壁部２２Ａがこのような形状であることで、計量キャップ３Ｂを軸周りに回動させやすくなっている。
【００５９】
また、本発明の計量容器においては、延出片の数は２つには限定されない。同様に、係合壁部の数は２つには限定されない。本発明の計量容器においては、前記した例のように、延出片が、計量キャップが口頸部に装着されたときに口頸部の軸線に対して対称位置となるように互いに離間して２つ形成され、かつ係合壁部が、計量キャップの回動方向における２つの延出片の間の中央に、口頸部の軸線に対して対称位置となるように互いに離間して２つ形成されている態様が好ましい。
【符号の説明】
【００６０】
１，１Ａ  計量容器
２  容器本体
３，３Ａ，３Ｂ  計量キャップ
７  突設筒部
８，８Ａ〜８Ｃ  ノズル中栓
９，９Ａ  口頸部
１０  筒壁部
１１Ａ，１１Ｃ，１１Ｄ  窪部
１１Ｂ  段差壁部
１８  計量筒部
２０  フランジ部
２１  延出片
２１ａ  下端部
２２  係合壁部
２３  リング部
２５  第１係合凸部
２６  第２係合凸部
２７  第１係合部
２８  第３係合凸部
２９  案内凸条部
３０  第４係合凸部
３１  案内突起
３２  第２係合部
【図１】
0006497801.tif 000002
【図２】
0006497801.tif 000003
【図３】
0006497801.tif 000004
【図４】
0006497801.tif 000005
【図５】
0006497801.tif 000006
【図６】
0006497801.tif 000007
【図７】
0006497801.tif 000008
【図８】
0006497801.tif 000009
【図９】
0006497801.tif 000010
【図１０】
0006497801.tif 000011
【図１１】
0006497801.tif 000012
【図１２】
0006497801.tif 000013